【事件の表示】
　特許第３４５１８５８号「回折格子パターンおよびそれを適用した物品」の請求項１ないし６に係る特許に対する特許異議の申立てについて、次のとおり決定する。
【結　論】
　訂正を認める。
　特許第３４５１８５８号の請求項１ないし６に係る特許を維持する。
【理　由】
１．手続の経緯
　本件特許第３４５１８５８号の発明は、平成８年１１月２５日に特許出願され、平成１５年７月１８日にその特許の設定登録がなされたものであり、その後、株式会社ディスクより特許異議の申立てがなされ、取消しの理由が通知され、その指定期間内である平成１７年１月１１日に訂正請求がなされたものである。　
　
２．訂正の適否についての判断
（１）［訂正の内容］
　訂正請求書による訂正事項は次のとおりである。
訂正事項ａ：
　特許請求の範囲の請求項1において、
　「回折格子パターン内でほぼ１８０°に渡って変化する構成であることを特徴とする回折格子パターン。」を「回折格子パターン内でほぼ１８０°に渡って変化する構成であり、回折格子パターン内に、周囲の回折格子の方向とほぼ直交するセルの集まりにより構成される別な特定パターンが含まれる構成であることを特徴とする回折格子パターン。」と訂正する。
訂正事項b：
　特許請求の範囲の請求項３において、
　「回折格子パターン内でほぼ１８０°に渡って変化する構成であることを特徴とする回折格子パターン。」を「回折格子パターン内でほぼ１８０°に渡って変化する構成であり、回折格子パターン内に、周囲の回折格子の方向とほぼ直交するセルの集まりにより構成される別な特定パターンが含まれる構成であることを特徴とする回折格子パターン。」と訂正する。
訂正事項c：
　特許請求の範囲の請求項４において、
　「請求項１乃至３のいずれかに記載の回折格子パターン。」を「請求項２に記載の回折格子パターン。」と訂正する。
訂正事項ｄ：
　本件特許明細書の段落番号【００１６】において、
　「回折格子パターン内でほぼ１８０°に渡って変化する構成であることを特徴とする回折格子パターンである。」を「回折格子パターン内でほぼ１８０°に渡って変化する構成であり、回折格子パターン内に、周囲の回折格子の方向とほぼ直交するセルの集まりにより構成される別な特定パターンが含まれる構成であることを特徴とする回折格子パターンである。」と訂正する。
訂正事項ｅ：
　本件特許明細書の段落番号【００１８】において、
　「回折格子パターン内でほぼ１８０°に渡って変化する構成であることを特徴とする回折格子パターンである。」を「回折格子パターン内でほぼ１８０°に渡って変化する構成であり、回折格子パターン内に、周囲の回折格子の方向とほぼ直交するセルの集まりにより構成される別な特定パターンが含まれる構成であることを特徴とする回折格子パターンである。」と訂正する。
訂正事項ｆ：
　本件特許明細書の段落番号【００２７】において、
　「不可能である。（請求項１）」を「不可能である。」と訂正する。
訂正事項ｇ：
　本件特許明細書の段落番号【００２８】において、
　「する。（請求項２）」を「する（請求項１，３，４」と訂正する。
訂正事項ｈ：
　本件特許明細書の段落番号【００２９】において、
　「なる。（請求項３）」を「なる。」と訂正する。
訂正事項ｉ：
　本件特許明細書の段落番号【００３０】において、
　「容易となる。（請求項４，５，６）」を「容易となる。（請求項１，２，３）」と訂正する。
訂正事項ｊ：
　本件特許明細書の段落番号【００３１】において、
　「できる。（請求項７）」を「できる。（請求項５）」と訂正する。
訂正事項ｋ：
　本件特許明細書の段落番号【００３８】において、
　「図９は、請求項４」を「図９は、請求項１，３，４」と訂正する。
訂正事項ｌ：
　本件特許明細書の段落番号【００４４】において、
　「図１１は、請求項１に対応する回折格子パターンの一例」を「図１１は、請求項１に対応する回折格子パターンの参考例」と訂正する。
訂正事項ｍ：
　本件特許明細書の段落番号【００４９】において、
　「図１３は、請求項３に対応する回折格子パターンの一例」を「図１３は、請求項３に対応する回折格子パターンの参考例」と訂正する。
訂正事項ｎ：
　本件特許明細書の段落番号【００６９】において、
　「【図５】本発明による回折格子パターンの一例を示す説明図。」を「【図５】本発明による回折格子パターンの一例を示す説明図。」を「【図５】本発明による回折格子パターンの参考例を示す説明図」と訂正する。
訂正事項ｏ：
　本件特許明細書の段落番号【００６９】において、
　「【図１１】本発明による回折格子パターンの他例を示す説明図。」を「【図１１】本発明による回折格子パターンの他の参考例を示す説明図。」と訂正する。
訂正事項ｐ：
　本件特許明細書の段落番号【００６９】において、
　「【図１３】本発明による回折格子パターンの他例を示す説明図。」を「【図１３】本発明による回折格子パターンの他の参考例を示す説明図。」と訂正する。
　
（２）［訂正の範囲の適否、拡張・変更の存否］ 
　本件訂正事項ａ、ｂは、訂正前の請求項４の記載の「回折格子パターン内でほぼ１８０°に渡って変化する構成であり、回折格子パターン内に、周囲の回折格子の方向とほぼ直交するセルの集まりにより構成される別な特定パターンが含まれる構成である」という構成を、各々、請求項１と請求項３に付加することにより特許請求の範囲を減縮するもので、そしてこの付加される構成は、特許明細書の段落番号【００３８】、【００３９】に記載されている。
　本件訂正事項ｃの訂正は、本件訂正事項ａ、ｂの訂正に伴い、引用される請求項を訂正するもので、明瞭でない記載の釈明を目的とするものである。
　本件訂正事項ｄないしｐの訂正は、特許請求の範囲の訂正に伴い、請求項番号や発明の内容の整合性を整えるために訂正をするもので、明瞭でない記載の釈明を目的とするものである。
　したがって、本件訂正事項ａないしｐは特許明細書に記載した事項の範囲内においてするものである。
　また、本件訂正事項ａないしｐは、実質上特許請求の範囲を拡張・変更するものではない。
　
（３）［結び］
　以上のとおりであるから、上記訂正は、特許法第１２０条の４第２項ただし書及び同条第３項において準用する特許法１２６条第２項、第３項の規定に適合するので、当該訂正を認める。
　
３．特許異議の申立てについて
（１）［申立ての理由の概要］
　特許異議申立人株式会社ディスクは、下記甲第１、２号証を提出し、請求項１ないし６に係る発明の特許は、甲第１、２号証に記載された発明に基づいて当業者が容易に発明できたものであるから、特許法第２９条第２項の規定に違反してなされたものであり、取り消すべき旨主張している。
　甲第１号証：米国特許第４５６８１４１号明細書（クラス３５０／３．６１）
　甲第２号証：特開平５−１４４０７８号公報
　
（２）［本件発明］
　本件請求項１ないし６に係る発明（以下、「本件発明１ないし６」という。）は、訂正明細書の特許請求の範囲の請求項１ないし６に記載された事項により特定される次のとおりのものである。
　「【請求項１】回折格子からなる微小なセル（または、ドット）が同一基板の表面に複数配置され、全面に反射層が形成されたレリーフ型回折格子からなる回折格子パターンにおいて、
近接するセル間では回折格子の方向が近似し、パターン全体からの反射回折光の方向が連続的に変化する回折格子列が並行して複数あり、それぞれの回折格子列における回折格子の方向が、同一周期で位相が異なって変化し、回折格子の方向が、回折格子パターン内でほぼ１８０°に渡って変化する構成であり、
　回折格子パターン内に、周囲の回折格子の方向とほぼ直交するセルの集まりにより構成される別な特定パターンが含まれる構成である
　ことを特徴とする回折格子パターン。
【請求項２】回折格子からなる微小なセル（または、ドット）が同一基板の表面に複数配置され、全面に反射層が形成されたレリーフ型回折格子からなる回折格子パターンにおいて、
近接するセル間では回折格子の方向が近似し、パターン全体からの反射回折光の方向が連続的に変化する回折格子列が並行して複数あり、それぞれの回折格子列における回折格子の方向が、周期が異なって変化し、
回折格子の方向が、回折格子パターン内でほぼ１８０°に渡って変化する構成であることを特徴とする回折格子パターン。
【請求項３】回折格子からなる微小なセル（または、ドット）が同一基板の表面に複数配置され、全面に反射層が形成されたレリーフ型回折格子からなる回折格子パターンにおいて、近接するセル間では回折格子の方向が近似し、パターン全体からの反射回折光の方向が連続的に変化する回折格子列が並行して複数あり、それぞれの回折格子列における回折格子の方向が、回転方向が異なって変化し、
回折格子の方向が、回折格子パターン内でほぼ１８０°に渡って変化する構成であり、
　回折格子パターン内に、周囲の回折格子の方向とほぼ直交するセルの集まりにより構成される別な特定パターンが含まれる構成である
　ことを特徴とする回折格子パターン。
【請求項４】回折格子パターン内に、周囲の回折格子の方向とほぼ直交するセルの集まりにより構成される別な特定パターンが含まれる構成であることを特徴とする請求項２に記載の回折格子パターン。
【請求項５】回折格子が存在しない領域を含むことを特徴とする請求項１乃至４のいずれかに記載の回折格子パターン。
【請求項６】請求項１〜請求項５のいずれかに記載の回折格子パターンを表面に形成してなる物品。」
　
（３）［引用刊行物記載の発明］
　当審が通知した取消しの理由に引用された刊行物
　刊行物１：米国特許第４５６８１４１号明細書（甲第１号証）
　刊行物２：特開平５−１４４０７８号公報（甲第２号証）
　刊行物１には、
　「In FIG. 6 there is shown an authenticating element 3c having four parallel movemeat tracks B1 to B4. The diffraction structure of the movement tracks B1 and B3 consists of adjoining structural elements S, whose orientation in the drawing changes by a respective angle Δφ0 from left to  right. The diffraction structure of the movement tracks B2 and B4 is similar; however, the orientation of the structural elements S from left to right is changed by the angle Δφ0. During  rotation of the authenticating element 3c the color patterns in adjoining movement tracks move in respective opposite directions. The spatial frequency in adjoining movement tracks can also  vary in opposite respective directions, similar to the orientation of the structural element S. As a matter of design choice, a plurality of structural elements having identical properties may be incorporated in a particular diffraction structure. (See for example FIG.6.).」（７欄２７行〜４４行）
が記載されている。
　前記記載によれば、引用例１には、「図６では、偽造防止要素３ｃが４つの並行した移動トラックＢ１ から Ｂ４までを持っていることを示している。移動トラックＢ１とＢ３の回折構造は隣接する構成要素Ｓからなり、その画面内の格子の方向は左から右へと各々の角度がΔφ＞０ ずつ変化していく。移動トラックＢ２とＢ４ の回折構造も同様である。ただし、左から右へと構成要素Ｓの格子の方向はΔφ＜０ずつ変化する。偽造防止要素３ｃを回転する間、隣接する移動トラック内の色パターンはそれぞれ逆方向に動く。隣接する移動トラック内の空間周波数もまた逆方向に変化し、構成要素Ｓの格子の方向と同様である。デザインを選ぶ際には、同じ特性を持つ複数の構成要素を特定した回折構造に組み込むことになろう（図６参照）。」が記載されている。
　刊行物２には、
　「図１に本発明の光学的記録体の基本形態の平面図を示すが、記録体１は、規則的に相互に離間して配置された微小な円９によって２つの領域４と５に分割され、円９の内５と外４には格子の向きが相互に異なる回折格子（図の場合、内側５には水平方向に向く回折格子、外側４には垂直方向を向く回折格子）が割り当てられる。このように２つの回折格子を配置した記録体１を例えば図７に示すような読み取り装置にセットして、その上方の光源２からの光を必要に応じてレンズ３を介して入射すると、光照射領域中にある領域４の回折格子からはその格子に直交する方向に回折光が発生し、図の場合は光検出器Ｄ１により検出され、符号１（図６）が記録されていると判読される。また、光照射領域中にある領域５の回折格子からもその格子に直交する方向に回折光が発生し、図の場合は光検出器Ｄ３により検出され、符号３も同時に記録されていると判読される。したがって、図１の場合、符号１と３の組み合わせが記録されていることが読み取られる。このように回折格子の向きの組み合わせにより、記録体１には、２つの回折格子の組み合わせでは、１０個の中の何れかの情報が記録できる。このような記録体１を複数個並置することにより、１０進法で情報を記録することができる。」（段落【００１４】）
が記載されている。
　
（４）［対比・判断］
［本件発明１について］
　本件発明１と刊行物１記載の発明とを対比すると、刊行物１記載の発明は、本件発明１が具備する「回折格子パターン内に、周囲の回折格子の方向とほぼ直交するセルの集まりにより構成される別な特定パターンが含まれる構成」という構成を具備していない。
　また、係る点は、前記刊行物２に記載も示唆もなされていない。
　しかも本件発明１は、前記構成を有することで、明細書記載の「特定パターンの視認性が向上する。」といった顕著な効果を奏するものと認められる。
　してみると、本件発明１は、刊行物１、２に記載された発明に基づき当業者が容易に発明することができたものとは認められない。
　したがって、本件発明１の特許は、特許法第２９条第２項の規定に違反してなされたものではない。
　
［本件発明２について］
　本件発明２と刊行物１記載の発明とを対比すると、刊行物１記載の発明は、本件発明２が具備する「近接するセル間では回折格子の方向が近似し、パターン全体からの反射回折光の方向が連続的に変化する回折格子列が並行して複数あり、それぞれの回折格子列における回折格子の方向が、周期が異なって変化し、」という構成を具備していない。
　また、係る点は、前記刊行物２に記載も示唆もなされていない。
　しかも本件発明２は、前記構成を有することで、明細書記載の「周期が異なることにより、格子列ＡとＢとでは、輝線の流れ方が異なることになる。」といった顕著な効果を奏するものと認められる。
　してみると、本件発明２は、刊行物１、２に記載された発明に基づき当業者が容易に発明することができたものとは認められない。
　したがって、本件発明２の特許は、特許法第２９条第２項の規定に違反してなされたものではない。
　
［本件発明３について］
　本件発明３と刊行物１記載の発明とを対比すると、刊行物１記載の発明は、本件発明３が具備する「回折格子パターン内に、周囲の回折格子の方向とほぼ直交するセルの集まりにより構成される別な特定パターンが含まれる構成」という構成を具備していない。
　また、係る点は、前記刊行物２に記載も示唆もなされていない。
　しかも本件発明３は、前記構成を有することで、明細書記載の「特定パターンの視認性が向上する。」といった顕著な効果を奏するものと認められる。
　してみると、本件発明３は、刊行物１、２に記載された発明に基づき当業者が容易に発明することができたものとは認められない。
　したがって、本件発明３の特許は、特許法第２９条第２項の規定に違反してなされたものではない。
　
［本件発明４について］
　本件発明４は、本件発明２の構成要件を全て含み、さらに他の構成要件を付加したものに相当するから、本件発明２について説示したのと同様の理由により、本件発明４は、刊行物１、２に記載された発明に基づき当業者が容易に発明することができたものとは認められない。
　したがって、本件発明４の特許は、特許法第２９条第２項の規定に違反してなされたものではない。
　
［本件発明５について］
　本件発明５は、本件発明１ないし４のいずれかの発明の構成要件を全て含み、さらに他の構成要件を付加したものに相当するから、本件発明１〜４について説示したのと同様の理由により、本件発明５は、刊行物１、２に記載された発明に基づき当業者が容易に発明することができたものとは認められない。
　したがって、本件発明５の特許は、特許法第２９条第２項の規定に違反してなされたものではない。
　
［本件発明６について］
　本件発明６は、本件発明１ないし５のいずれかの発明の構成要件を全て含み、さらに他の構成要件を付加したものに相当するから、本件発明１ないし５について説示したのと同様の理由により、本件発明６は、刊行物１、２に記載された発明に基づき当業者が容易に発明することができたものとは認められない。
　したがって、本件発明６の特許は、特許法第２９条第２項の規定に違反してなされたものではない。
　
（５）［結び］
　したがって、特許異議申立ての理由および証拠によっては、本件発明１ないし６についての特許を取り消すことはできない。
　また、他に本件発明についての特許を取り消すべき理由を発見しない。
　よって、結論のとおり決定する。
【異議決定日】
平成１７年３月３１日（２００５．３．３１）
【訂正の要旨】
審決（決定）の【理由】欄参照。
（５４）【発明の名称】
回折格子パターンおよびそれを適用した物品
（５７）【特許請求の範囲】
　【請求項１】回折格子からなる微小なセル（または、ドット）が同一基板の表面に複数配置され、全面に反射層が形成されたレリーフ型回折格子からなる回折格子パターンにおいて、
近接するセル間では回折格子の方向が近似し、パターン全体からの反射回折光の方向が連続的に変化する回折格子列が並行して複数あり、それぞれの回折格子列における回折格子の方向が、同一周期で位相が異なって変化し、
回折格子の方向が、回折格子パターン内でほぼ１８０°に渡って変化する構成であ
り、
　
回折格子パターン内に、周囲の回折格子の方向とほぼ直交するセルの集まりにより構成される別な特定パターンが含まれる構成である
　ことを特徴とする回折格子パターン。
　【請求項２】回折格子からなる微小なセル（または、ドット）が同一基板の表面に複数配置され、全面に反射層が形成されたレリーフ型回折格子からなる回折格子パターンにおいて、
近接するセル間では回折格子の方向が近似し、パターン全体からの反射回折光の方向が連続的に変化する回折格子列が並行して複数あり、それぞれの回折格子列における回折格子の方向が、周期が異なって変化し、
回折格子の方向が、回折格子パターン内でほぼ１８０°に渡って変化する構成であることを特徴とする回折格子パターン。
　【請求項３】回折格子からなる微小なセル（または、ドット）が同一基板の表面に複数配置され、全面に反射層が形成されたレリーフ型回折格子からなる回折格子パターンにおいて、
近接するセル間では回折格子の方向が近似し、パターン全体からの反射回折光の方向が連続的に変化する回折格子列が並行して複数あり、それぞれの回折格子列における回折格子の方向が、回転方向が異なって変化し、
回折格子の方向が、回折格子パターン内でほぼ１８０°に渡って変化する構成であ
り、
　
回折格子パターン内に、周囲の回折格子の方向とほぼ直交するセルの集まりにより構成される別な特定パターンが含まれる構成である
　ことを特徴とする回折格子パターン。
　【請求項４】回折格子パターン内に、周囲の回折格子の方向とほぼ直交するセルの集まりにより構成される別な特定パターンが含まれる構成であることを特徴とする請求項
２
　【請求項５】回折格子が存在しない領域を含むことを特徴とする請求項１乃至４のいずれかに記載の回折格子パターン。
　【請求項６】請求項１〜請求項５のいずれかに記載の回折格子パターンを表面に形成してなる物品。
【発明の詳細な説明】
　【０００１】
　【発明が属する技術分野】本発明は、金券，有価証券などに、複写（コピー）による偽造を防止する機能を付加するための回折格子パターンの改良に関する。
　【０００２】
　【従来の技術】従来より、コピー装置の性能の向上に伴う金券，有価証券などの複写物による不正使用（偽造）への対策が望まれている。
　【０００３】ホログラムや回折格子を用いた複写防止に係る提案のうち、レリーフ型回折格子が同一基板の表面で適宜に組み合わされ、全面に反射層が形成されてなる回折格子パターンにおいて、２種類の直交する回折格子の組み合わせから構成されるパターンが、本出願人による特願平６−１９６６０２号によって提案されている。
　【０００４】図１に、上記出願による回折格子パターンの一例を示す。前記パターンは、水平方向の格子縞から形成される文字「ＴＰＴＰ」と文字の回りは垂直方向の格子縞からなるパターンと、垂直方向の格子縞から形成される文字「ＰＴＰＴ」と文字の回りは水平方向の格子縞からなるパターンとの組み合わせからなるパターンである。
　【０００５】上記パターン（現物）に照明光を当てて肉眼で観察した場合、文字とその回りでは反射回折する方向が異なると共に、見る角度によって、パターン全体の色や明るさが変わって視覚される。
　【０００６】また、パターンの全面には反射性金属層が形成されているため、通常、パターンから反射回折させない場合には、金属光沢を伴って視覚されることになる。
　【０００７】上記パターンをコピーする場合に、コピー装置の光源がパターン上をスキャンする際に、スキャンに応じて被コピー物からの正反射光の受光部が移動する方向（以下、便宜的に「スキャン方向」と称する）と、パターン内の回折格子の方向とが直交していると、その回折格子が構成するパターンはコピーされるが、方向が直交する他方の回折格子が構成するパターンはコピーされないことになり、複写物（コピー）の見え方が、明らかに元々のパターンに対して違和感のあるものと感じられることにより、それが正規のパターンではなく複写物であることを判別できる。
　【０００８】スキャン方向が垂直な場合の、図１のパターンの複写物を図２に示す。カラーコピーの場合には、白以外の色は、イエロー，マゼンタ，シアンの３色もしくはブラックを加えた４色のトナーによる減法混色により、色再現される。モノクロコピーの場合には、ブラックのトナーのみの濃淡で再現される。ここでは説明の便宜上、モノクロコピーの場合で代表して説明するが、カラーコピーでも同様に、本発明が適用される。
　【０００９】図２では、文字「ＴＰＴＰ」からの反射光は受光部に検知されているため、パターンが同図で白く複写されているが、文字の回りからの反射光は受光部に
検知されずに同図で黒くなってしまう。一方、文字「ＰＴＰＴ」からの反射光は受光部に検知されずに黒くなってしまい、文字の回りからの反射光は受光部に検知されて同図で白く複写されることになる。
　【００１０】また、同じパターンに対して、スキャン方向が水平な場合の複写物を図３に示す。図３では、白と黒が図２と逆になる。
　【００１１】直交する２種類の回折格子からなる原稿（コピー対象）が、スキャン方向に対して例えば４５°傾いている場合には、強度が弱いながらも双方の回折格子からの反射回折光も均等に受光部が検知することになるので、パターンの実物（反射層を持つレリーフ型回折格子）と複写物とは、明らかに見え方が異なるが、元々、反射層を持つレリーフ型回折格子自体の存在を知らない人（金属光沢に対して先入観のない人）にとっては、絵柄全体として違和感がなければその複写物を異常と感じることなく、偽造に気付かないでしまう惧れがある。
　【００１２】図１のパターンに対して、スキャン方向が４５°傾いている場合の複写物を図４に示す。図４では、全くコピーされない黒の部分はないので、明確に複写物であることは判別できず、文字が絵柄として違和感なく判別できれば、その複写物を異常と感じないこともあり得る。
　【００１３】従って、あらゆるスキャン方向からの複写に対しても、複写物の見え方に明らかに違和感があるように感じさせる（絵柄全体として不完全なものとする）ようなパターンとしなければならない。
　【００１４】このように、上記提案ではコピーに対して一定の防止効果はあるものの、パターンが「互いに直交する２種類の回折格子」から構成される２組の要素パターンの組み合わせからなるため、視覚的なイメージが極めて二値的なものに限られ、意匠（デザイン）面での制約を受けやすい。
　【００１５】
　【発明が解決しようとする課題】本発明は、視覚的なイメージが斬新な回折格子パターンを提供し、偽造困難性を一層高めることを目的とする。また、従来はコピーによる偽造が比較的容易だった金券，チケットなどの物品に対して前記パターンを適用することにより、コピーを行なっても、複写物からは回折格子による絵柄（パターン）を完全に再現されないようにすることを目的とする。
　【００１６】請求項１に記載の発明は、回折格子からなる微小なセル（または、ドット）が同一基板の表面に複数配置され、全面に反射層が形成されたレリーフ型回折格子からなる回折格子パターンにおいて、近接するセル間では回折格子の方向が近似し、パターン全体からの反射回折光の方向が連続的に変化する回折格子列が並行して複数あり、それぞれの回折格子列における回折格子の方向が、同一周期で位相が異なって変化し、回折格子の方向が、回折格子パターン内でほぼ１８０°に渡って変化する構成であ
り、回折格子パターン内に、周囲の回折格子の方向とほぼ直交するセルの集まりにより構成される別な特定パターンが含まれる構成である
　【００１７】請求項２に記載の発明は、回折格子からなる微小なセル（または、ドット）が同一基板の表面に複数配置され、全面に反射層が形成されたレリーフ型回折格子からなる回折格子パターンにおいて、近接するセル間では回折格子の方向が近似し、パターン全体からの反射回折光の方向が連続的に変化する回折格子列が並行して複数あり、それぞれの回折格子列における回折格子の方向が、周期が異なって変化し、回折格子の方向が、回折格子パターン内でほぼ１８０°に渡って変化する構成であることを特徴とする回折格子パターンである。
　【００１８】請求項３に記載の発明は、回折格子からなる微小なセル（または、ドット）が同一基板の表面に複数配置され、全面に反射層が形成されたレリーフ型回折格子からなる回折格子パターンにおいて、近接するセル間では回折格子の方向が近似し、パターン全体からの反射回折光の方向が連続的に変化する回折格子列が並行して複数あり、それぞれの回折格子列における回折格子の方向が、回転方向が異なって変化し、回折格子の方向が、回折格子パターン内でほぼ１８０°に渡って変化する構成であ
り、回折格子パターン内に、周囲の回折格子の方向とほぼ直交するセルの集まりにより構成される別な特定パターンが含まれる構成である
　【００１９】請求項４に記載の発明は、回折格子パターン内に、周囲の回折格子の方向とほぼ直交するセルの集まりにより構成される別な特定パターンが含まれる構成であることを特徴とする請求項
２
　【００２０】請求項５に記載の発明は、回折格子が存在しない領域を含むことを特徴とする請求項１乃至４のいずれかに記載の回折格子パターンである。
　【００２１】請求項６に記載の発明は、請求項１〜請求項５のいずれかに記載の回折格子パターンを表面に形成してなる物品である。
　【００２２】
　【００２３】これらの回折格子パターンを表面に形成することにより、複写防止が図られた物品（金券，有価証券など）とする。
　【００２４】回折格子は、各種の作製方法が周知であり、微小なセル（または、ドット）を構成単位とする回折格子パターンの作製方法としては、「２光束干渉」による手法および「電子線（ＥＢ）による描画」が公知である。
　【００２５】２光束干渉法による前記パターンの作製方法は、本出願人による特開昭６０−１５６００４号公報や特開平２−７２３１９号公報に開示されている。上記方法は、２光束干渉法（レーザー光などの２本のビーム状のコヒーレント光を、感光材料上で干渉させて、干渉縞を記録する方法）による微小な干渉縞（以下、回折格子と称する）を、そのピッチ・方向・光強度を適宜変化させて、感光材料上にドット単位で次々と露光し、ドットの集まりによって絵柄（パターン）を形成するものである。
　【００２６】ＥＢ描画による前記パターンの作製方法は、本出願人による特開平２−７２３２０号公報に開示されている。上記方法は、電子線により回折格子を直接描画するものであり、そのピッチ・方向・光強度を適宜変化させることが、２光束干渉法よりも自在である。
　【００２７】＜作用＞近接するセル間では回折格子の方向が近似し、パターン全体からの反射回折光の方向が連続的に変化する構成であることにより、パターンを観察する際に傾けたりすると、輝線が流れるように感じられ、動的な視覚効果を持たせることができる。そのため、コピーでの偽造によって同様な効果を持たせるようにすることは不可能で
ある。
　【００２８】パターン内に、周囲の回折格子の方向とほぼ直交するセルの集まりにより構成される別な特定パターンを含ませる（例えば、絵柄の中に文字や数字を入れるようにして）ことにより、特定パターンの視認性が向上する。（請求項
１，３，４
　【００２９】回折格子の方向が、パターン内でほぼ１８０°に渡って変化させることにより、パターンをコピーする際に、あらゆるスキャン方向に対しても、コピーされずに黒く写ってしまうセルを生じさせることが容易
となる。
　【００３０】近接するセル間で回折格子の方向が近似し、パターン全体からの反射回折光の方向が連続的に変化する回折格子列が並行して複数列あり、それぞれの回折格子列における回折格子の方向が、
▲１▼同一周期で位相が異なるように
▲２▼周期が異なるように
▲３▼回転方向が異なるように
上記の何れかのように変化することにより、パターン自体の視覚的なイメージが一層斬新となると共に、パターンをコピーする際に、あらゆるスキャン方向に対しても、コピーされずに黒く写ってしまうセルを生じさせることが容易となる。（請求項
１，２，３
　【００３１】パターン内に回折格子が存在しない領域を含ませることにより、全くコピーされない領域が複写物上に存在することになり、元々、回折格子パターンの存在を知らない人（上記した動的な視覚効果に係る先入観のない人）にとっても、絵柄として違和感を覚えさせることができる。（請求項
５
　【００３２】
　【発明の実施の形態】以下、図面を参照して本発明を詳細に説明する。図５は、回折格子からなるドットがアレイ状に配置されたパターンを示す説明図であり、同図の上下方向で、それぞれのドット内の回折格子の方向が連続的（左回りに）に変化している。なお、同図の左右方向には、ドット列の回折格子の方向は同一である。同図のパターンを観察する際に動かしたり（または、観察者が見る角度を変えたり）すると、上下方向に輝線が流れるように感じられることになる。
　【００３３】同図に示すように、パターン内の上下での回折格子の方向が１８０°の範囲で変化している（最上の回折格子が垂直方向であり、左回りで徐々に角度を変えて、最下の回折格子も垂直方向になっている）と、パターンをコピーする際に、あらゆるスキャン方向に対しても、回折格子の方向が等しいドットが存在することになり、コピーされずに黒く写ってしまうドットが必然的に生じるため、本発明の目的の上で好適である。
　【００３４】２光束干渉法による上記ドットは、０．１〜０．３ｍｍ径程度が一般的であるが、０．２ｍｍ径のドットを密集させて同図のパターンを作製した場合、上下の長さが１０ｃｍであると、回折格子の方向を１８０°の範囲で変化させるには、上下に近接するドット間での回折格子の方向を０．３６°ずつ変化させることになる。ＥＢ描画でも上記のようなパターンを作製することができるが、ＥＢ描画では、パターンの構成単位は、丸い形状のドットに限定されないセルとすることができ、その大きさも２光束干渉法に比べて自在に大きくも小さくもできる。
　【００３５】同図のパターンを、３種類のスキャン方向でコピーした際の複写物を、図６〜図８に示す。図６はスキャン方向が０°（図５の下から上への方向）、図７は４５°（図５の右上がり方向）、図８は９０°（図５の左から右への方向）に相当する。図６〜図８では、被コピー物であるオリジナルのパターンとは無関係に、明るくコピーされている部分とコピーされずに暗い部分とが、斜め方向に分布しているが、同図の場合では、コピー装置の光源が棒状でなく点光源が散在しており、それぞれの点光源からの反射光を検知する受光部での強度の分布によって、上記のようになっているのである。
　【００３６】なお、説明の都合上、図５のようなアレイ状のドットの集まりも「パターン」と表現してきたが、ドットの配置のさせ方によって「絵柄」を構成するパターンとして装飾性を向上させても良いことは言うまでもない。または、図５のパターンを、他のホログラムや回折格子パターンの一部に混在させても良い。
　【００３７】当然のことながら、何れの複写物によっても、上記の動的な視覚効果（輝線が流れるように見える）を持たせることは不可能である。しかし、複写物に係る図６〜図８では、スキャン方向と同一方向の回折格子があることにより、その部分は全くコピーされないことになり、必然的に複写物上では「黒」の領域が発生してしまい、違和感のあるものとして認識され、真偽の判別を助けることになる。
　【００３８】図９は、請求項
１，３，
　【００３９】装飾パターン内の回折格子の方向は、視認性を高めるためには、回りの回折格子の方向と直交するように連続的に変化させることが考えられるが、装飾パターンも輝線が流れるように視覚されると紛らわしい場合もあるので、同図では装飾パターン内の回折格子の方向は一定させており、周囲のドットのうち、中間部に位置するドットの回折格子の方向と直交させている。
　【００４０】また、いかなるスキャン方向のコピーに対しても、必ず複写物に「黒」の領域を生じさせるには、前述した特願平６−１９６６０２号にもあるように、「パターン内に回折格子のない領域を具備させる」ことが有効である。図１０は、請求項５に対応する回折格子パターンの一例を示す説明図であり、回折格子が存在しない領域（文字と文字の間のライン）を含むパターンの一例を示す。
　【００４１】図１０のパターン（現物）を観察する際に動かしたり（または、観察者が見る角度を変えたり）すると、回折格子が存在しない領域（上記ライン）を除いて、上下方向に輝線が流れるように感じられる。
　【００４２】また、図１０のパターンをコピーすると、スキャン方向に依存せず、上記ラインは、常に「黒」としてコピーされるため、フルカラーの中に唐突な印象を与えて、回折格子自体の存在を全く知らないユーザーであっても、このように、黒くなった領域のある複写物を見れば、それが異常であることに気付いて偽造品を判別することができる。
　【００４３】上記のように、「ライン状」に限らず、回折格子の存在しない領域を、パターン（現物）を観察する際に肉眼では識別できない程度に混在させる（例えば、破線状に飛び飛びに存在させるなどして）と、現物のパターンからは視覚しづらい破線パターン状に、複写物では「黒」の領域が現れてくることになるので、異常に対してさらに気付きやすくなる。
　【００４４】図１１は、請求項１に対応する回折格子パターンの
参考
　【００４５】図１１では、３列のドットによって１つの回折格子列（Ａ，Ｂ）を形成しているが、それに限られるものではなく、何列のドットによって１つの回折格子列を形成しても良く、回折格子列が何列あっても良い。
また、図１１では、各格子列内で回折格子の方向が変化する周期は同一であり、格子列毎に位相（同図で、ドットａとｂのように、格子列の間で隣り合うドットの回折格子の方向）のみが異なっている。
　【００４６】図１２は、請求項２に対応する回折格子パターンの一例を示す説明図であり、図１１と同様に、回折格子からなるドットがアレイ状に配置され、上から下に向かって、それぞれのドット内の回折格子の方向が左回りに連続的に変化している回折格子列（Ａ，Ｂ）が並行している。
　【００４７】図１２では、格子列Ａ，Ｂの間で、回折格子の方向が変化する周期が異なっている。すなわち、格子列Ａは、最上から最下まで３６０°の範囲で位相が変化しているが、格子列Ｂは、１８０°の範囲で位相が変化している。
　【００４８】従って、図１２のパターン（実物）によっても、上記の動的な視覚効果（輝線が流れるように見える）を持たせることが可能であるが、周期が異なることにより、格子列ＡとＢとでは、輝線の流れ方が異なることになる。
　【００４９】図１３は、請求項３に対応する回折格子パターンの
参考
　【００５０】従って、図１３のパターン（実物）によっても、上記の動的な視覚効果（輝線が流れるように見える）を持たせることが可能であるが、回折格子の方向が変化する回転方向が異なることにより、格子列ＡとＢとでは、輝線の流れ方が異なることになる。すなわち、回折格子列Ａが上から下に向かって輝線が流れる際には、回折格子列Ｂでは下から上に向かって輝線が流れるようになる。
　【００５１】図１１〜図１３のパターンは、パターン自体の視覚的な（動的な）イメージが一層斬新となると共に、パターンをコピーする際に、あらゆるスキャン方向に対しても、コピーされずに黒く写ってしまうセルを生じさせることがさらに容易となる。
　【００５２】回折格子の方向の変化のさせ方としては、
▲１▼同一周期で位相が異なるように（図１１）
▲２▼周期が異なるように（図１２）
▲３▼回転方向が異なるように（図１３）
の３つがあるが、これらを適宜に組み合わせる（と）ことにより、本発明による効果が一層顕著になる。
　【００５３】このような回折格子パターンを物品表面に形成することによって、複写による偽造が妨げられることになる。偽造防止が必要な物品としては、カード，プリペイドカード，商品券，トラベラーズチェック，通帳，切符，入場券，名刺などの信用が求められるもの全てに適用でき、紙，樹脂，金属材など材質を問うものではなく、表面も平面に限らず、視覚的もしくは回折格子パターンの読み取り性能上問題とならない程度の湾曲や
凹凸などがあっても構わない。
　【００５４】回折格子パターンを物品表面に形成する方法としては、転写シートもしくはシール（ラベル）の形態として形成するのが好ましい。図１４は、転写シート１０の構成例を示す断面説明図である。シール（ラベル）の場合は、一般的には後述する転写シートの構成のうち、剥離保護層および樹脂層を除いた構成になる。
　【００５５】図１４に示すように、この回折格子パターンを有する転写シート１０は、ベースフィルムである支持体フィルム１１上に、剥離保護層１２，回折格子パターン形成層１３，薄膜層１４，樹脂層１５，および接着層１６を、順次積層して構成される。
　【００５６】支持体フィルム１１としては、例えばポリエステル，アセテート，ポリカーボネートなどが用いられる。
　【００５７】剥離保護層１２としては、例えばポリアクリル系、アクリル・ビニール系樹脂などを主成分とし、その厚さは０．５〜２μｍが適当である。
　【００５８】さらに、回折格子パターン形成層１３としては、例えば酸価を有したアクリル系樹脂，ウレタン系樹脂，セルロースアセテート系樹脂，ニトロセルロース系樹脂等を主成分とし、その厚さを０．５〜２μｍにバーコート，ブレードコート，エアナイフコート，グラビアコート，ロールコート法などのソルベントコート法、或いはスクリーン印刷法等の既知の塗布方法により塗布形成した後、乾燥して樹脂層を形成する。
　【００５９】一方、薄膜層１４としては、Ａｌ，Ｃｒ，Ａｕ，Ａｇなどの反射性金属材料、もしくは回折格子パターン形成層１３を構成する材料よりも屈折率が大きい材料にて構成され、回折格子パターン形成層１３のレリーフ面に形成される。後者の場合は、回折格子パターンの再生可能な角度範囲内では、上記薄膜層１４における光の反射率が最大となり、反射膜として機能する一方、回折格子パターンの再生可能な角度範囲外では、単なる透明膜として機能し、基材側に位置する画像パターンを透過させる機能を有する。
　【００６０】観察する角度に応じて、反射膜または透明膜として機能する上記薄膜層１４に適用できる材料としては、例えば、Ｓｂ２Ｓ３，Ｆｅ２Ｏ３，ＴｉＯ２，ＣｄＳ，ＣｅＯ２，ＰｂＣｌ２，ＣｄＯ，Ｓｂ２Ｏ３，Ｂｉ２Ｏ３，ＺｎＳ，ＷＯ３，ＳｉＯ，Ｉｎ２Ｏ３，ＰｂＯ，Ｔａ２Ｏ３，ＺｎＯ，ＣａＯ・ＳｉＯ２，ＺｒＯ，Ｃｄ２Ｏ３，Ａｌ２Ｏ３等を挙げることができる。
　【００６１】そして、いずれの材料を用いた薄膜層の場合にも、真空蒸着法，スパッタリング法，イオンプレーティング法などにより形成され、その厚みは０．０３〜０．０８μｍが適当である。
　【００６２】また、樹脂層１５としては、アクリル系樹脂，スチレン系樹脂，ポリエステル系樹脂などを主成分とし、その厚さは０．５〜２μｍが適当である。
　【００６３】さらに、接着層１６としては、アクリル樹脂系，ビニル系樹脂などを主成分とし、その厚さは０．５〜２μｍが適当である。
　【００６４】なお、接着層１６自体が反射性の薄膜層１４と密着性がよい場合には、樹脂層１５を設ける必要はない。
　【００６５】また、樹脂層１５・接着層１６は、バーコート，ブレードコート，エアナイフコート，グラビアコート，ロールコート法などのソルベントコート法、或いはスクリーン印刷法等の既知の塗布方法により塗布形成した後、乾燥して樹脂層を形成する。
　【００６６】このような構成の回折格子パターンを有する転写シート１０を、基材の上に接着層１６を介して重ね、加熱押圧により転写する。そして、転写後に、支持体フィルム１１を剥離して、回折格子パターンを有する物品を得ることになる。
　【００６７】上記の説明においては、回折格子の要因のうち、少なくとも格子縞の方向のみを変化させていたが、それだけに限らず、格子縞のピッチなどの他の要因も適宜に変化させることにより、パターンの視覚的効果が多彩となる。
　【００６８】
　【発明の効果】本発明によれば、パターン（現物）を観察する際に動かしたり（または、観察者が見る角度を変えたり）すると、輝線が流れるように感じられるため、動的な興味ある視覚効果を有する回折格子パターンが提供される。また、いかなるスキャン方向で回折格子パターンのコピーを試みたとしても、複写物上では不完全なパターン、或いは全く複写されずに黒く写ってしまう領域を存在せしめることになるので、複写物の見え方が、明らかに元々のパターンに対して違和感のあるものと感じさせることが可能であり、動的な視覚効果についての予備知識がない者にとっても、複写物であることを容易に判別できる。従って本発明は、偽造を意図する者にとって、一層の障害となって存在することになる。
　【００６９】
【図面の簡単な説明】
　【図１】従来技術に係る回折格子パターンを示す説明図。
　【図２】図１のパターンの複写物の一例を示す説明図。
　【図３】図１のパターンの複写物の他例を示す説明図。
　【図４】図１のパターンの複写物の他例を示す説明図。
　【図５】本発明による回折格子パターンの
参考
　【図６】図５のパターンの複写物の一例を示す説明図。
　【図７】図５のパターンの複写物の一例を示す説明図。
　【図８】図５のパターンの複写物の一例を示す説明図。
　【図９】本発明による回折格子パターンの他例を示す説明図。
　【図１０】本発明による回折格子パターンの他例を示す説明図。
　【図１１】本発明による回折格子パターンの他
の参考
　【図１２】本発明による回折格子パターンの他例を示す説明図。
　【図１３】本発明による回折格子パターンの他
の参考
　【図１４】回折格子パターンを転写シートとする構成例を示す説明図。
　【符号の説明】
　１…回折格子からなるパターン（文字）
　２…回折格子からなるパターン（背景）
　３…微小ドットが存在しない領域
　１０…回折格子パターンを適用した転写シート
　１１…支持体フィルム
　１２…剥離保護層
　１３…回折格子パターン形成層
　１４…薄膜層
　１５…樹脂層
　１６…接着層